(57)【要約】【課題】従来のホワイトボードでは、ホワイトボードの前面下部にペンやマーカーを置くための受台が、前面へ突出している。【解決手段】平らな表面２１と側板（２２、２３，２４、２５）からなる本体２と、ペン５やイレーザー６を収容するための、側板に本体の裏側になるように、開口部３を介して取り付けた収容部４とを備え、側板に備えた開口部を介してペン５やイレーザー６を側面から挿入し、取り出せるようにしたことを特徴とするホワイトボードである。【選択図】図１
2018086826.tif 000002
【特許請求の範囲】
【請求項１】
平らな表面２１と側板（２２、２３，２４、２５）からなる本体２と、ペン５やイレーザー６を収容するための、側板に本体の裏側になるように、開口部３を介して取り付けた収容部４とを備え、側板に備えた開口部を介してペン５やイレーザー６を側面から挿入し、取り出せるようにしたことを特徴とするホワイトボード。
【請求項２】
本体２は四角形状であることを特徴とする請求項１記載のホワイトボード。
【請求項３】
収容部４は、ペン収容部（４１、４２、４３，４４，４５）とイレーザー収容部４６を重ならないように一列に並べたことを特徴する請求項１又は２に記載のホワイトボード。
【請求項４】
収容部４の各ペン収容部には、それぞれ同じ位置になるように複数の切欠き部４７と仕切り板４８を備え、前記切欠き部に、仕切り板４８を挿入することで、収容するペンの飛び出し長さを調整するようにしたことを特徴とする請求項３に記載のホワイトボード。
【請求項５】
開口部３を、隣接する２つの側板の中央部に備え、収容部４の奥が下方向になるように取り付けることで、９０度回転させた縦型や、１８０度回転させた横型として使用できるようにしたことを特徴とする請求項２記載のホワイトボード。
【発明の詳細な説明】
【技術分野】
【０００１】側板にペンやマーカーの収容部をもつホワイトボードに関する。
【背景技術】
【０００２】
【先行技術文献】
【特許文献】
【０００３】
【特許文献１】実開平６−６８８８０公報
【発明の概要】
【発明が解決しようとする課題】
【０００４】従来のホワイトボードでは、ホワイトボードの前面下部にペンやマーカーを置くための受台や、ペンやマーカーを収納する袋を前面に取り付けたり、ホワイトボードの表面の周囲に枠を設けていたりしており、また、ホワイトボードの表面の全体を、文字や図形を描くのに使用できなかった。
【課題を解決するための手段】
【０００５】平らな表面２１と側板（２２、２３，２４、２５）からなる本体２と、ペン５やイレーザー６を収容するための、側板に本体の裏側になるように、開口部３を介して取り付けた収容部４とを備え、側板に備えた開口部を介してペン５やイレーザー６を側面から挿入し、取り出せるようにしたことを特徴とするホワイトボードである。【０００６】本体２は四角形状であることを特徴とするホワイトボードである。【０００７】収容部４は、ペン収容部（４１、４２、４３，４４，４５）とイレーザー収容部４６を重ならないように一列に並べたことを特徴するホワイトボードである。【０００８】収容部４の各ペン収容部には、それぞれ同じ位置になるように複数の切欠き部４７と仕切り板４８を備え、前記切欠き部に、仕切り板４８挿入することで、収容するペンの飛び出し長さを調整するようにしたことを特徴とするホワイトボードである。【０００９】開口部３を、隣接する２つの側板の中央部に備え、収容部４の奥が下方向になるように取り付けることで、９０度回転させた縦型や、１８０度回転させた横型として使用できるようにしたことを特徴とするホワイトボードである。
【発明の効果】ホワイトボードの側板にペン５やイレーザー６を収容する収容部４を備え、表面の全体を、文字や図形を描けるホワイトボードを提供する。【００１０】
【図面の簡単な説明】
【００１１】
【図１】本願発明のホワイトボードの構成  （ａ）ホワイトボードの表面（ｂ）ホワイトボードの裏面
【図２】本願発明のホワイトボードの別使用図  （ａ）縦型設置（９０度回転）（ｂ）横型設置（１８０度回転）
【図３】収容部の構成  （ａ）外観（ｂ）Ａ−Ａ線断面図
【発明を実施するための形態】
【００１２】図１に、本願発明のホワイトボードの構成を示す。（ａ）は、ホワイトボードの表面、（ｂ）はホワイトボードの裏面を示す
本願発明のホワイトボード１は、平らな表面２１と側板（２２、２３，２４、２５）からなる本体２と、ペン５やイレーザー６を収容するための、側板に本体の裏側になるように、開口部を介して取り付けた収容部４とからなる。
側板に備えた開口部を介してペン５やイレーザー６を側面から挿入し、取り出せるようにしている。
側板には、ペン５やイレーザー６を収容するための、収容部４を、ホワイトボードの裏側に位置するように、取り付け孔２６を通してネジで取り付ける。
【００１３】図２は、本願発明のホワイトボードの別使用図で、（ａ）は、図１のホワイトボードを９０度回転して縦型に設置する場合、（ｂ）は図１のホワイトボードを１８０度回転して横型に設置する場合の構成である。
図１のように、ホワイトボードの右側の側板２３と、下側の側板２４のそれぞれ中央付近に開口部３を備えているので、図２（ａ）のように９０度回転して縦型に設置場合でも、ペンやマーカーの収容部の奥が下方向になるように収容部を取り付けるだけで、縦型で使用できる。
また、図１のホワイトボードを１８０度回転して、収容部を左側にした横型の場合でも、ペンやマーカーの収容部の奥が下方向になるように収容部４を取り付けるだけで、左側に収容部を備えた、横型として使用できる。
本体２は四角形状の場合、開口部は、四辺に備えてもよいが、隣接する２辺のみ（開口部は本体全体で２箇所）に備えるのが好ましい。隣接する側板の中央部に備え、収容部４の奥が下方向になるように取り付けることで、９０度回転させた縦型や、１８０度回転させた横型でとして使用できるようにしている。
収容部４と本体の側板の取り付けは、収容部４が左右対称であるので、収容部を裏向けにして奥が下方向になるように、取り付け替えることができる。
【００１４】図３は、収容部の構成で、（ａ）は外観、（ｂ）はＡ−Ａ線断面図である。
収容部４は、個々のペンやマーカーを収容するペン収容部（４１、４２、４３，４４，４５）とイレーザー収容部４６と固定部４９からなる。
ペン収容部（４１、４２、４３，４４，４５）とイレーザー収容部４６が重ならないように配置して、厚みがでないように一列に並べている。
収容部４の固定部４９には、取り付け孔４９１を設けており、本体の側板とは、取り付け孔２６を介してネジなどで取り付ける。
【００１５】収容部４の各ペン収容部には、それぞれ同じ位置になるように複数の切欠き部４７と仕切り板４８を備え、前記切欠き部に、仕切り板４８を挿入することで、収容するペンの飛び出し長さを調整する。
【００１６】このように、側板（２２、２３，２４、２５）を有する本体２の側板に、ペン５やイレーザー６を収容するための、収容部４を裏側に備えているので、側板に備えた開口部を介してペン５やイレーザー６を側面から挿入し、取り出せるので、表面の全体を、文字や図形を描ける。
【産業上の利用可能性】
【００１７】ペン等の収容を側板に取り付けているので、ホワイトボードの表面の全体を使用して、文字や図形を描くことができる。また、収容部を取り付け替えることで、ホワイトボードを、９０度ごとに回転して縦型などに使用できる。
【符号の説明】
【００１８】１  ホワイトボード
２  本体
２１  表面
２２  側板Ａ
２３  側板Ｂ
２４  側板Ｃ
２５  側板Ｄ
２６  取り付け孔
３  開口部
４  収容部
４１、４２、４３，４４，４５  ペン収容部
４６  イレーザー収容部
４７  切欠き部
４８  仕切り板
４９  固定部
４９１  取り付け孔
５  ペン
６  イレーザー
【図１】
2018086826.tif 000003
【図２】
2018086826.tif 000004
【図３】
2018086826.tif 000005